(57)【要約】【課題】操作者がどの端末を使用しても、監視対象の画面、計器名称を再入力することなく、他の端末で表示したのと同じ画面を容易に表示でき、継続的に監視操作が可能なプラント監視装置を提供する。【解決手段】プラントを制御するための制御装置２と、操作者を識別する操作者識別機能９を有し、制御装置２を介して入力したプラント情報を画面に表示して前記プラントの監視操作を行う複数の監視操作端末１１、１２と、この監視操作端末が接続される通信ネットワークと、前記監視操作端末に表示した画面の情報を、前記通信ネットワークを介して取り込み操作者別に保持する情報保持装置７とを備える。前記監視操作端末の各々は、操作者８のログオン時に操作者識別機能９に基づき、情報保持装置７が保持する操作者８の画面表示情報に従い画面表示する。【選択図】図２
2010117742.tif 000002
【特許請求の範囲】
【請求項１】
プラントの監視操作を行うプラント監視装置において、
プラントを制御するための制御装置と、
操作者を識別する操作者識別機能を有し、前記制御装置を介して入力したプラント情報を画面に表示して前記プラントの監視操作を行う複数の監視操作端末と、
前記監視操作端末が接続される通信ネットワークと、
前記監視操作端末に表示した画面の情報を、前記通信ネットワークを介して取り込み操作者別に保持する情報保持装置と、を備え、
前記監視操作端末の各々は、操作者のログオン時に前記操作者識別機能に基づき、前記情報保持装置が保持する該当操作者の画面表示情報に従い画面表示することを特徴とするプラント監視装置。
【請求項２】
請求項１記載のプラント監視装置において、前記情報保持装置は、前記監視操作端末に共用のサーバであり、このサーバはプラント運転管理の専用サーバ、または前記監視操作端末の少なくとも１つが兼ねる兼用サーバであるプラント監視装置。
【請求項３】
プラントの監視操作を行うプラント監視装置において、
プラントを制御するための制御装置と、
中央操作室に設置され、操作者を識別する操作者識別機能を有し、前記制御装置を介して入力したプラント情報を画面に表示して前記プラントの監視操作を行う操作卓と、
携帯可能で、操作者を識別する操作者識別機能を有し、前記制御装置を介して入力したプラント情報を画面に表示して前記プラントの監視操作を行う可搬型操作端末と、
前記監視操作端末及び前記可搬型操作端末が接続される通信ネットワークと、
前記操作卓及び前記可搬型操作端末に表示した画面の情報を、前記通信ネットワークを介して取り込み操作者別に保持する情報保持装置と、を備え、
前記可搬型操作端末は、操作者のログオン時に、前記操作者識別機能に基づき前記情報保持装置が保持する該当操作者の画面表示情報に従い、該当操作者が前記中央操作室の操作卓で表示したプラント情報画面を再現して表示し、前記操作卓で行っていたプラント監視操作をこの可搬型操作端末でも継続可能にし、
前記操作卓は、操作者のログオン時に、前記操作者識別機能に基づき前記情報保持装置が保持する該当操作者の画面表示情報に従い、該当操作者が前記可搬型操作端末で表示したプラント情報画面を再現して表示し、前記可搬型操作端末で行っていたプラント監視操作をこの操作卓でも継続可能にすることを特徴とするプラント監視装置。
【請求項４】
請求項３記載のプラント監視装置において、
前記可搬型操作端末は、操作者のログオン時に、前記情報保持装置が保持する該当操作者の画面表示情報に従い、この可搬型操作端末で以前表示した画面を再現して表示し、この可搬型操作端末で行っていたプラント監視操作を継続可能にし、
前記操作卓は、操作者のログオン時に、前記情報保持装置が保持する該当操作者の画面表示情報に従い、この操作卓で以前表示した画面を再現して表示し、この操作卓で行っていたプラント監視操作を継続可能にするプラント監視装置。
【請求項５】
請求項３または請求項４記載のプラント監視装置において、前記情報保持装置は、前記操作卓及び前記可搬型操作端末に共用のサーバであり、このサーバはプラント運転管理の専用サーバ、または前記操作卓が兼ねる兼用サーバであるプラント監視装置。
【請求項６】
請求項３または請求項４記載のプラント監視装置において、前記操作卓と前記可搬型操作端末は、操作者のログオフ時、所定時間ごと、又は操作者の操作若しくは指示に基づいて、該当操作者の前記画面表示情報を前記情報保持装置に送信するプラント監視装置。
【請求項７】
請求項３または請求項４記載のプラント監視装置において、前記画面表示情報は、前記監視操作端末の識別番号、監視操作日時、前記監視操作端末に表示した表示画面の名称、及び画面上の操作位置座標を含むプラント監視装置。
【請求項８】
請求項３または請求項４記載のプラント監視装置において、前記情報保持装置は、操作者別に前記画面表示情報を時系列的に蓄積していき、監視操作の履歴情報として前記画面表示情報を保持するプラント監視装置。
【請求項９】
請求項３、請求項４または請求項８のうちいずれか１項記載のプラント監視装置において、前記監視操作端末は、ログオンしている操作者またはログオンしている操作者とは異なる操作者に係わる前記画面表示情報に従い画面表示を行うプラント監視装置。
【発明の詳細な説明】
【技術分野】
【０００１】
本発明は、計装システムに係わり、特にプラント監視装置がネットワークで接続された分散形デジタル制御システムに適用可能なプラント監視装置に関する。
【背景技術】
【０００２】
計装システムのプラント監視装置は、通常、中央操作室に設置されるが、中央操作室以外からの監視もネットワーク技術の発展によって容易に可能となってきている。プラント監視装置に対し、操作者に応じて、使用できる監視・操作機能に制限を加えることは公知の技術である。さらに、同一の操作者についても、操作を行う場所に応じて監視・操作機能を制限する技術が公開されている（例えば、特許文献１参照）。しかし、特許文献１に記載の技術は、監視・操作機能の制限においては有効であるが、例えば操作者が同一工場内で中央操作室とプラント現場とを頻繁に行き来する場合において、監視装置に表示する画面の切替えに要する手間の低減については考慮されていない。
【０００３】
特許文献２には、監視画面を再現するために、マウスによる動作の座標やクリックした時刻などの情報をファイルに保存する技術が公開されている。この技術によれば、保存した情報を基にして、マウスの動きも含めた操作者の操作を監視画面とともに完全に再現することができる。
【０００４】
【特許文献１】特開２００６−１３９３５３号公報
【特許文献２】特開２００３−２５６０３５号公報
【発明の開示】
【発明が解決しようとする課題】
【０００５】
プラントの監視・操作は、中央操作室の操作卓のみならず、プラント現場の各場所に設置した現場端末やオペレータの所持する携帯端末などのヒューマン・マシン・インタフェース（ＨＭＩ）装置で行われるようになってきた。
【０００６】
しかし、例えばプラント現場のＨＭＩ装置で把握したプラント情報を中央操作室に戻って詳細に検討しようとすると、中央操作室のＨＭＩ装置に、現場のＨＭＩ装置で表示した画面を改めて表示する必要がある。この際、プラント現場で作成したメモまたは記憶に頼って現場のＨＭＩ装置で表示した画面を再表示しなければならず、操作者は手間がかかりミスの恐れのある作業を強いられていた。
【０００７】
特許文献２に記載の技術は、監視画面を再現するものであるが、操作者別に情報を保存するものではない。そのため、１つのＨＭＩ装置を複数の操作者が使用する場合では、各操作者の監視画面が混在し、所望する監視画面の再現が困難になるという課題がある。また、操作者によるマウスの動作も含めて監視画面を再現するため、保存する情報量が多くなり、特にネットワークを介して情報を送受信する場合には、ネットワークに多大な負荷がかかるという課題もある。
【０００８】
本発明の目的は、複数の操作者がどのＨＭＩ装置を使用しても、他のＨＭＩ装置で表示した画面と同じ画面を容易に再表示でき、継続的に監視操作が可能なプラント監視装置を提供することにある。また、どのＨＭＩ装置を使用する場合でも、そのＨＭＩ装置または他のＨＭＩ装置で過去に表示したのと同じ画面を容易に再表示することのできるプラント監視装置を提供することにもある。
【課題を解決するための手段】
【０００９】
上記課題を解決するため、本発明のプラント監視装置は、基本的には次のような構成をとる。
【００１０】
本発明によるプラント監視装置は、プラントを制御するための制御装置と、操作者を識別する操作者識別機能を有し、前記制御装置を介して入力したプラント情報を画面に表示して前記プラントの監視操作を行う複数の監視操作端末と、前記監視操作端末が接続される通信ネットワークと、前記監視操作端末に表示した画面の情報を、前記通信ネットワークを介して取り込み操作者別に保持する情報保持装置とを備える。前記監視操作端末の各々は、操作者のログオン時に前記操作者識別機能に基づき、前記情報保持装置が保持する該当操作者の画面表示情報に従い画面表示する。
【００１１】
前記情報保持装置は、前記監視操作端末に共用のサーバであり、このサーバはプラント運転管理の専用サーバ、または前記監視操作端末の少なくとも１つが兼ねる兼用サーバである。
【００１２】
より具体的には、本発明によるプラント監視装置は、次のような構成をとる。
【００１３】
プラントを制御するための制御装置と、中央操作室に設置され、操作者を識別する操作者識別機能を有し、前記制御装置を介して入力したプラント情報を画面に表示して前記プラントの監視操作を行う操作卓と、携帯可能で、操作者を識別する操作者識別機能を有し、前記制御装置を介して入力したプラント情報を画面に表示して前記プラントの監視操作を行う可搬型操作端末と、前記監視操作端末及び前記可搬型操作端末が接続される通信ネットワークと、前記操作卓及び前記可搬型操作端末に表示した画面の情報を、前記通信ネットワークを介して取り込み操作者別に保持する情報保持装置とを備える。前記可搬型操作端末は、操作者のログオン時に、前記操作者識別機能に基づき前記情報保持装置が保持する該当操作者の画面表示情報に従い、該当操作者が前記中央操作室の操作卓で表示したプラント情報画面を再現して表示し、前記操作卓で行っていたプラント監視操作をこの可搬型操作端末でも継続可能にする。前記操作卓は、操作者のログオン時に、前記操作者識別機能に基づき前記情報保持装置が保持する該当操作者の画面表示情報に従い、該当操作者が前記可搬型操作端末で表示したプラント情報画面を再現して表示し、前記可搬型操作端末で行っていたプラント監視操作をこの操作卓でも継続可能にする。
【００１４】
前記可搬型操作端末は、操作者のログオン時に、前記情報保持装置が保持する該当操作者の画面表示情報に従い、この可搬型操作端末で以前表示した画面を再現して表示し、この可搬型操作端末で行っていたプラント監視操作を継続可能にする。前記操作卓は、操作者のログオン時に、前記情報保持装置が保持する該当操作者の画面表示情報に従い、この操作卓で以前表示した画面を再現して表示し、この操作卓で行っていたプラント監視操作を継続可能にする。
【００１５】
また、前記情報保持装置は、前記操作卓及び前記可搬型操作端末に共用のサーバであり、このサーバはプラント運転管理の専用サーバ、または前記操作卓が兼ねる兼用サーバである。
【発明の効果】
【００１６】
本発明によれば、使用している操作卓や操作端末を別の操作卓や操作端末に変更しても、操作者は、監視対象の画面や計器名称を再入力することなしに変更前と同じ画面を表示でき、継続して監視操作が可能なプラント監視装置を提供することができる。また、過去に表示したのと同じ画面を容易に再表示することのできるプラント監視装置を提供することもできる。これにより、操作者の操作ミスの減少、操作時間の短縮、操作効率の向上などを図ることができる。
【発明を実施するための最良の形態】
【００１７】
以下、図面を用いて、本発明の実施例を説明する。
【００１８】
本発明によるプラント監視装置を適用したシステムの全体構成を図１に示す。本システムは、中央操作室に配置されている機器、プラント現場に配置されている機器、通信ネットワーク４、現場設置型操作端末１３、可搬型操作端末１２、及びプラントの制御装置とプラント現場の被制御機器（被監視装置）とを接続する専用配線６とから構成される。
【００１９】
中央操作室に配置されている機器には、操作卓１１、運転管理サーバ７、プロセスデータ収集と制御演算を行う制御装置２、制御用ネットワーク３、及び大型ディスプレイ１４がある。操作卓１１は、プラントの監視操作を行う監視操作端末である。操作卓１１、運転管理サーバ７、及び制御装置２は、制御用ネットワーク３を介して互いに接続されており、操作卓１１及び運転管理サーバ７は、通信ネットワーク４に接続されている。大型ディスプレイ１４は、操作卓１１に接続され、多人数での監視に用いられる。なお、運転管理サーバ７を設けないで、操作卓１１に運転管理サーバ７の機能を構築してもよい。本実施例では、運転管理サーバ７を使用する場合について説明する。
【００２０】
一方、プラント現場側には、プロセス製造装置５が配置されており、プロセス製造装置５に取付けられたセンサ５３及び制御バルブ５２が、専用配線６を経由して制御装置２に接続されている。また、現場設置型操作端末１３、無線アクセスポイント４１も配置されており、通信ネットワーク４と接続されている。プラント現場では、無線通信装置を備えた可搬型操作端末１２が使用可能で、この可搬型操作端末１２は無線アクセスポイント４１を経由して通信ネットワーク４と接続される。可搬型操作端末１２、現場設置型操作端末１３は、操作卓１１とともに、プラントの監視操作を行う監視操作端末の機能を果たす。
【００２１】
このように、操作卓１１、運転管理サーバ７、可搬型操作端末１２、及び現場設置型操作端末１３は、通信ネットワーク４を介して接続される。
【００２２】
操作卓１１、可搬型操作端末１２、現場設置型操作端末１３には、操作者識別装置９を取付けて、操作者識別機能を持たせることもできる。操作者識別装置９は、操作卓１１や操作端末１２、１３を使用しようとする操作者を識別するための装置で、識別方法には、例えば、指紋認証、静脈認証、バーコード、ＲＦＩＤ（Ｒａｄｉｏ  Ｆｒｅｑｕｅｎｃｙ  Ｉｄｅｎｔｉｆｉｃａｔｉｏｎ）による認証などの方法がある。操作者は、操作卓１１や操作端末１２、１３の操作を行う前に、操作者識別装置９による認証を経てログオンする。操作者識別装置９を取付けていない場合は、操作卓１１や操作端末１２、１３自体が操作者識別機能を持ち、操作者が入力した操作者識別情報（ＩＤやパスワードなど）に基づき認証する。本実施例では、操作者識別装置９を取付けた場合について説明する。
【００２３】
操作者は、通常は中央操作室の操作卓１１にログオンし、プラントの監視操作を行う。多人数の操作者が同時に監視をするときは、大型ディスプレイ１４を使用する。監視操作中、プラント現場で確認が必要な作業が発生したとき、すなわち、製造工程途中で品質確認のタイミングがきたときや、製造工程で異常が報告されたときなどには、操作者は可搬型操作端末１２を所持してプラント現場に移動するか、プラント現場の現場設置型操作端末１３の設置場所に移動するかにより、監視操作を継続することができる。
【００２４】
なお、現場設置型操作端末１３は、操作者が携帯できない点が可搬型操作端末１２と主に異なり、備える機能や実行する処理に大きな違いはない。従って、以下では、操作端末として可搬型操作端末１２を利用する場合について説明し、現場設置型操作端末１３については、可搬型操作端末１２に準じるので説明を省略する。
【００２５】
さて、操作者が中央操作室で監視操作を行っているときにプラント現場で異常が発生した場合、従来は以下のような作業を行う必要があった。
【００２６】
まず、中央操作室の操作卓でプラント異常に関連する画面を表示し、プラント操業状況の確認を行う。表示した画面や計器の名称などをメモしておく。次に、詳細な確認、復旧処置を行うため、可搬型操作端末を所持してプラント現場へ移動する。現場で中央操作室の操作卓で表示していた画面を表示するためには、可搬型操作端末にログオンし、先にメモした画面、計器の名称に従って画面呼出し操作を行う。可搬型操作端末の画面サイズは、操作卓の画面サイズの数分の１で表示領域が限られているため、スクロールなどの画面操作を何度か行って監視操作対象となる部分を表示する必要がある。さらに、現場で監視操作を行った後、中央操作室に戻り、現場で表示したのと同じ画面を操作卓に表示するためには、再度、操作卓で画面や計器の名称を入力して画面呼出し操作を行わなければならない。
【００２７】
このように、操作者は、中央操作室とプラント現場を行き来する度に、監視画面の記録や再呼出し操作という手間がかかりミスの恐れのある作業を強いられていた。
【００２８】
本発明によるプラント監視装置を使用すると、操作者がどの操作卓や操作端末から別の操作卓や操作端末に切替えて使用しても、監視対象の画面、計器名称を再入力することなく、監視操作が継続可能となる。
【００２９】
本発明によるプラント監視装置のブロック構成図を、図２に示す。
【００３０】
操作卓１１は、制御装置２と通信を行う通信部１１３、データを処理するデータ処理部１１１、データ処理の結果を画面に表示する表示部１１２、操作者からの操作入力を受付ける操作部１１５、操作者がこの端末を使用することを許可するログオン処理部１１４、表示中の画面の情報を格納する画面情報部１１７、及びログオン後最初に表示する画面の情報を保持する画面初期値部１１６から構成され、操作者識別装置９が取付けられている。
【００３１】
操作端末１２は、操作卓１１とは大きさが異なるが、同様のブロック構成を備える。すなわち、通信部１２３、データ処理部１２１、表示部１２２、操作部１２５、ログオン処理部１２４、画面情報部１２７、及び画面初期値部１２６から構成され、操作者識別装置９が取付けられている。
【００３２】
以下、操作卓と操作端末の両者については、「端末」と総称して言及する。
【００３３】
運転管理サーバ７は、操作者別情報管理部７１と、操作者別画面表示情報７２１を保持する操作者別画面表示情報部７２とから構成され、各端末から画面情報を収集し、ログオン時に画面情報を提供する役割を持つ。画面情報とは、操作者が表示した画面に関する情報であり、操作者が表示した画面と同一の画面を後で再現（再表示）するのに必要な情報が含まれる。具体的には、画面情報には、監視操作日時、表示画面名称、画面上の操作位置座標、ウィンドウ画面名称、計器ウィンドウ画面名称などが含まれる。
【００３４】
操作者別情報管理部７１は、各端末から収集した画面情報を操作者別に識別し、この画面情報を操作者別画面表示情報部７２に操作者別画面表示情報７２１として保持する。
【００３５】
また、操作者別情報管理部７１は、操作者別画面表示情報部７２から操作者別に操作者別画面表示情報７２１を読み出し、各端末に送信する。初めてログオンしたときなど、操作者別画面表示情報部７２に操作者に対応する操作者別画面表示情報７２１が存在しないときは、操作者別情報管理部７１は、データが空白である操作者別画面表示情報７２１を当該操作者のために作成し保持するとともに、予め設定しておいたデフォルト画面の情報を各端末に送信し、このデフォルト画面を表示させるようにする。
【００３６】
操作者別画面表示情報部７２が保持する操作者別画面表示情報７２１は、運転管理サーバ７が画面情報を収集するたびに最新の情報に更新される。または、操作者別画面表示情報７２１を更新せずに、予め定めた過去の一定期間または一定回数の表示情報の履歴を蓄積していき、操作者別画面表示の履歴情報として保持することもできる。以下では、操作者別画面表示情報７２１を最新情報に更新する例について述べる。履歴情報として保持する例については、図５を用いて後述する。
【００３７】
操作者別画面表示情報７２１は、ログオン中の端末の情報と画面情報を、操作者別に記録したものであり、端末の識別番号、監視操作日時、表示画面名称、画面上の操作位置座標、ウィンドウ画面名称、計器ウィンドウ画面名称などが含まれる。なお、操作位置座標とは、表示画面の一部を端末に表示する場合に、どの範囲を表示するかを決めるための座標である。端末には、例えば、操作位置座標を左上または中心として、端末に応じた一定の大きさの範囲だけを表示することができる。
【００３８】
なお、運転管理サーバ７を設けない場合は、操作卓１１が運転管理サーバ７の機能を備えるので、操作卓１１が操作者別画面表示情報７２１を保持する。
【００３９】
次に、本発明に基づくプラント監視装置を適用したシステムの動作を説明する。
【００４０】
操作者Ａ８が操作者識別装置９による認証を経て操作卓１１にログオンすると、操作卓１１は、ログオン処理部１１４を介して、操作者Ａ８が操作卓１１からログオンしたというログオン情報を運転管理サーバ７に送る。運転管理サーバ７の操作者別情報管理部７１は、操作者別画面表示情報部７２から操作者Ａ８に対応する操作者別画面表示情報７２１を読み出し、画面初期情報として操作卓１１に送信する。この画面初期情報は、操作卓１１の画面初期値部１１６に格納され、データ処理部１１１で処理され、表示部１１２においてグラフィックまたは文字列として表示される。
【００４１】
図３に、操作卓１１の表示部１１２の表示例を示す。表示部１１２は、ログオンボタン１１２３、操作者表示部１１２４、システム表示部１１２５、メイン画面表示部１１２１、及び計器ウィンドウ１１２２から構成される。ログオンボタン１１２３は、操作者がログオン時に使用する。操作者表示部１１２４には、ログオンした操作者の名前などが表示される。システム表示部１１２５は、アラームや画面表示用のボタンを備える。メイン画面表示部１１２１は、プラントの監視操作を実行するためのメイン画面であり、計器ウィンドウ１１２２は、計器が表示され操作者が操作できるウィンドウである。操作者は、メイン画面表示部１１２１の表示の切替えや計器ウィンドウ１１２２の呼出しなどにより、プラントの監視操作を実施する。
【００４２】
ここで操作者Ａ８が操作端末１２を所持して、プラント現場に移動し、監視操作を行う場合の動作について、図２を用いて説明する。
【００４３】
操作者Ａ８が操作者識別装置９による認証を経て操作端末１２にログオンすると、操作端末１２は、ログオン処理部１２４を介して、操作者Ａ８が操作端末１２からログオンしたというログオン情報を運転管理サーバ７に送る。運転管理サーバ７の操作者別情報管理部７１は、操作者別画面表示情報部７２から操作者Ａ８に対応する操作者別画面表示情報７２１を読み出し、画面初期情報として操作端末１２に送信する。この画面初期情報は、操作端末１２の画面初期値部１２６に格納され、データ処理部１２１で処理され、表示部１２２においてグラフィックまたは文字列として表示される。
【００４４】
この画面初期情報は、先ほどまで操作卓１１で操作者Ａ８が監視操作の対象としていた画面、計器ウィンドウに関する表示情報である。操作端末１２は、この情報に基づいて画面を初期表示するため、操作卓１１で表示していた画面と同一の画面を表示することができる。従って、操作者Ａ８は、操作卓１１での監視操作を操作端末１２でもそのまま継続できる。
【００４５】
図３に、操作端末１２の表示部１２２の表示例を示す。表示部１２２は、ログオンボタン１２２３、操作者表示部１２２４、システム表示部１２２５、メイン画面表示部１２２１、計器ウィンドウ１２２２、及び画面全体表示部１２２６から構成される。ログオンボタン１２２３、操作者表示部１２２４、システム表示部１２２５、メイン画面表示部１２２１、及び計器ウィンドウ１２２２は、操作卓１１の表示部１１２と同様の機能を持つ。
【００４６】
ただし、操作端末１２の画面表示サイズは操作卓１１に比べて小さいため、メイン画面表示部１２２１は、図３に示すように操作位置座標周辺の画面を表示する。この操作位置座標は、運転管理サーバ７から提供される操作者別画面表示情報７２１に、操作位置として含まれている。また、計器ウィンドウ１２２２は、コンパクトな表示にするため、バーグラフなどの図形表示を省略している。画面全体表示部１２２６は、メイン画面表示部１２２１に表示して監視操作する部分を選択するために、監視画面全体を表示する。
【００４７】
監視操作をする画面の表示機器として、操作卓１１に接続された大型ディスプレイ１４を選択した場合も、操作卓１１で監視操作を行う例において表示部１１２を大型ディスプレイ１４に置き換えるだけであり、他の端末で表示していたのと同一の画面を表示することができる。大型ディスプレイ１４の場合は、図３に示すように、メイン画面表示を縮小せずにウィンドウ形式で表示するとともに、複数のウィンドウを表示して他の表示画面と同時に表示することも可能である。
【００４８】
このように、操作者は、どの操作卓、操作端末を使用しても、直前に他の端末や大型ディスプレイで表示していたのと同じ画面を表示することができ、継続して監視操作を続けることができる。
【００４９】
なお、操作端末用の機器の構成方式として、シンクライアント構成にすることもできる。操作端末がシンクライアント構成の場合の構成例を、図６に示す。シンクライアント構成では、操作端末を可搬部１２ａと固定設置型の本体部１２ｂとに分離し、可搬部１２ａをシンクライアント構成の操作端末として使用し、本体部１２ｂは、ターミナルサーバ１６と呼ばれるシンクライアント構成専用のサーバに設けてもよいし、運転管理サーバ７や操作卓１１などに設けてもよい。本実施例では、本体部１２ｂをターミナルサーバ１６に設けている。
【００５０】
可搬部１２ａは、表示部１２２、操作部１２５、及びログオン処理部１２４を備え、さらにシンクライアント制御部１２８を備える。また、操作者識別装置９が取付けられている。
【００５１】
本体部１２ｂは、データ処理部１２１、通信部１２３、画面初期値部１２６、画面情報部１２７、及びシンクライアント制御部１２９を備える。
【００５２】
表示部１２２、操作部１２５、ログオン処理部１２４、データ処理部１２１、通信部１２３、画面初期値部１２６、及び画面情報部１２７は、上述した操作端末１２と同様の処理を行う。シンクライアント制御部１２８、１２９は、可搬部１２ａと本体部１２ｂとを接続し、互いに情報を送受信する機能を有する。従って、このシンクライアント構成は、論理的には図２に記載した操作端末１２のブロック構成に含まれる。
【００５３】
１つのシステムの中に、シンクライアント構成（可搬部１２ａと本体部１２ｂとのペア）を複数備えることもできる。この場合、図６の可搬部１２ａと本体部１２ｂ、及び可搬部１５ａと本体部１５ｂのように、可搬部と本体部とのペアを複数にする。本体部は、同一のターミナルサーバ１６内、または運転管理サーバ７もしくは操作卓１１内に設けることができる。
【００５４】
また、操作端末がシンクライアント構成の場合でも、運転管理サーバ７を設けないようにすることができる。この場合、操作卓１１またはターミナルサーバ１６に運転管理サーバ７の機能を構築する。操作者別画面表示情報７２１は、操作卓１１またはターミナルサーバ１６が保持する。
【００５５】
ここで、操作者が端末にログオンしてからログオフするまでの、端末と運転管理サーバ７の処理手順を、図４を用いて説明する。
【００５６】
操作者が端末にログオンすると、端末は運転管理サーバ７へ、どの操作者がどの端末からログオンしたかというログオン情報を送信する（Ｓ１００）。運転管理サーバ７は、どの操作者がどの端末からログオンしているかという情報を保持する。
【００５７】
操作者のログオン後、運転管理サーバ７の操作者別情報管理部７１は、ログオンした操作者が他の端末にログオンしていないか確認する（Ｓ１０１）。
【００５８】
操作者が他の端末にログオンしていた場合には、その端末に対してログオフ要求を送る（Ｓ１０２）。ログオフ要求が送られた端末は、操作者のその端末へのログオン状態を強制的に解除（すなわちログオフ）する。
【００５９】
次に、端末は、運転管理サーバ７より、ログオンした操作者に対応する操作者別画面表示情報７２１を受信する（Ｓ１０３）。
【００６０】
続けて、端末は、受信した操作者別画面表示情報７２１に基づいて、画面初期情報をグラフィックまたは文字列として表示する（Ｓ１０４）。
【００６１】
その後、操作者により端末での画面表示操作が行われるが（Ｓ１０５）、所定の時間を越えて操作がなかった場合は（Ｓ１０６で判定）、運転管理サーバ７へ画面情報を送信して（Ｓ１０８）、ログオフする。送信された画面情報は、運転管理サーバ７の操作者別情報管理部７１が操作者別に識別し、操作者別画面表示情報部７２に操作者別画面表示情報７２１として保持される。
【００６２】
Ｓ１０６で、所定の時間内に、操作者による画面表示操作があった場合でも、操作者がログオフ要求を実行した場合は（Ｓ１０７で判定）、運転管理サーバ７へ画面情報を送信して（Ｓ１０８）、ログオフする。
【００６３】
また、ログオンしている操作者が他の端末にログオンした場合（Ｓ１０１で判定）は、Ｓ１０２の処理により、他の端末からログオフ要求があるため（Ｓ１０７で判定）、同様に運転管理サーバ７へ画面情報を送信して（Ｓ１０８）、ログオフする。
【００６４】
以上、説明した手順は、端末と運転管理サーバ７間の通信負荷を少なくしつつ、効果的に画面情報を伝達するために考案したものである。通信ネットワーク４の通信性能が高い場合には、所定の時間ごと、または操作者の画面表示操作の都度、画面情報を端末から運転管理サーバ７へ送信してもよい。または、操作者の画面表示操作を介しての指示に従い、画面情報を端末から運転管理サーバ７へ送信することにしてもよい。
【００６５】
また、ある端末にログオン中の操作者が他の端末にログオンした場合に、先にログオンしていた端末をログオフせずに、同時に複数の端末にログオンできるようなシステムにすることも可能である。この場合は、図４のＳ１０１及びＳ１０２の処理を省き、Ｓ１０７では、操作中の端末のログオフ要求を操作者が実行した場合のみ、Ｓ１０８へ進み、ログオフするようにする。
【００６６】
以上の実施例では、操作者別画面表示情報７２１を最新の情報に更新（上書き）していき、端末には、操作者が直近に表示した最新の画面を再表示する例について説明した。操作者別画面表示情報７２１を上書きせずに、予め定めた過去の一定期間または一定回数の表示情報の履歴を時系列的に蓄積していき、操作者別画面表示の履歴情報として保持することで、直近だけでなく過去にさかのぼって操作者が表示した画面を端末に再表示することも可能である。
【００６７】
以下では、図５を用いて、直近に表示した最新の画面だけでなく過去に表示した画面を再表示する実施例について説明する。本実施例では、端末として操作卓１１を用いるが、操作端末１２を用いる場合も同様の構成をとり、同様の処理を実行する。
【００６８】
本例では、操作卓１１は、履歴選択部１１８を備え、運転管理サーバ７は、操作者別画面表示履歴情報部７３を備えて操作者別画面表示履歴情報７３１を保持する。操作者別画面表示履歴情報７３１は、図２に示した操作者別画面表示情報７２１を過去から現在まで蓄積したものである。
【００６９】
なお、運転管理サーバ７を設けない場合は、操作卓１１またはターミナルサーバ１６が操作者別画面表示履歴情報７３１を保持する。
【００７０】
操作者Ａ８が操作卓１１へログオンした後、運転管理サーバ７の操作者別情報管理部７１が操作者Ａ８の操作者別画面表示履歴情報７３１を読み出して端末に送信することで、操作者Ａ８が過去に表示した画面を操作卓１１に表示することができる。操作者Ａ８は、操作卓１１の履歴選択部１１８を介して、操作者別画面表示履歴情報７３１を時系列に選択可能とする。具体的には、操作卓１１の表示部１１２に操作者別画面表示履歴情報７３１の一覧を表示し、操作者Ａ８が、例えば表示画面名称をインデックスとして、過去の所望の画面情報を選択して表示する。
【００７１】
これらの処理は、図４のＳ１０３とＳ１０４で実行される。すなわち、端末は、Ｓ１０３で運転管理サーバ７から操作者別画面表示履歴情報７３１を受信し、Ｓ１０４で操作者別画面表示履歴情報７３１の一覧を表示し、操作者が選択した画面情報を表示する。
【００７２】
以上の構成により、操作者Ａ８は、操作者別画面表示履歴情報７３１の中から表示したい画面情報を選択することで、過去に表示した画面を容易に再表示して監視操作を行うことができる。
【００７３】
また、以上のような構成であっても、ログオン時には、最新の画面情報に基づいて画面表示を行うようにすることもできる。この場合、ログオン時には、操作者別情報管理部７１は、操作者別画面表示履歴情報７３１の中から最新の画面情報を読み出して画面初期情報として端末に送信する。この処理は、図４のＳ１０３で実行される。
【００７４】
監視操作の途中で過去の画面を表示する場合は、操作者は、操作部１１５から履歴選択部１１８を介して、表示部１１２に操作者別画面表示履歴情報７３１の一覧を表示させ、この一覧の中から所望の画面情報を選択して表示するという画面表示操作を実行する。このとき、最新の画面情報を選択すれば、操作者別画面表示履歴情報部７３が直前に保持（格納）した最新の画面情報を表示することもできる。この処理は、図４のＳ１０５で実行される。
【００７５】
以上、操作者は、自分の操作者別画面表示履歴情報７３１の中から画面情報を選択して表示する例について述べたが、自分以外の操作者が過去に表示した画面を表示できるようにすることも可能である。この場合、操作者は、表示部１１２に操作者別画面表示履歴情報７３１の一覧を表示させるときに、表示したい操作者を識別する操作者識別情報（ＩＤなど）を端末に入力し、この操作者の操作者別画面表示履歴情報７３１の一覧を表示させ、この一覧の中から所望の画面情報を選択して表示するという画面表示操作を実行する。この場合も、最新の画面情報を選択すれば、自分以外の操作者が直近に表示した最新の画面情報を表示することもできる。
【００７６】
ログオン時に、自分以外の操作者が表示した画面を表示するには、操作者は、表示したい操作者を識別する操作者識別情報（ＩＤなど）もログオン時に端末へ入力することで、この操作者の操作者別画面表示情報７３１の一覧を表示させる。この処理は、図４のＳ１００、Ｓ１０３、及びＳ１０４で実行される。
【００７７】
また、監視操作の途中で、自分以外の操作者が表示した画面を表示するには、操作者は、表示したい操作者を識別する操作者識別情報（ＩＤなど）を監視操作途中で端末に入力し、この操作者の操作者別画面表示情報７３１の一覧を表示させる。この処理は、図４のＳ１０５で実行される。
【００７８】
また、図２に示すように、運転管理サーバ７が操作者別画面表示情報部７２を備えて操作者別画面表示情報７２１（すなわち、最新の画面情報）を保持している場合にも、自分以外の操作者が表示した最新の画面を表示するようにすることができる。
【００７９】
ログオン時に表示するには、操作者は、表示したい操作者を識別する操作者識別情報（ＩＤなど）もログオン時に端末へ入力し、この操作者の操作者別画面表示情報７２１を表示させる。この処理は、図４のＳ１００、Ｓ１０３、及びＳ１０４で実行される。監視操作の途中に表示するには、操作者は、表示したい操作者を識別する操作者識別情報（ＩＤなど）を端末に入力し、この操作者の操作者別画面表示情報７２１を表示させる。この処理は、図４のＳ１０５で実行される。
【００８０】
以上のようにして、自分以外の操作者が表示した画面についても、呼び出して表示し、監視操作を行うことができる。
【００８１】
これまでの実施例では、直前まで使用していたのと異なる端末に、監視操作をする画面を継続的に表示する例について述べてきたが、本発明は、同一の端末に、直近に表示した最新の画面またはそれ以前の過去に表示した画面を再表示する場合にも適用できる。この場合、これまでの実施例とは、使用する端末が同一であるのが異なるだけであり、端末や運転管理サーバ７の処理に変わりはない。
【００８２】
以上説明したように、本発明によれば、操作者がどの操作卓や操作端末を使用しても、監視対象の画面や計器名称を再入力することなく、今までに表示したのと同じ画面を表示することができ、継続した監視操作が可能なプラント監視装置を提供することができる。
【００８３】
また、複数の操作者が同一の操作卓や操作端末を使用する場合でも、操作者別に画面情報を保持するので、操作者ごとに監視画面を再現することが容易に可能である。さらに、ログオフ時、所定時間ごと、または操作者の指示に基づいて画面情報を保持するので、保存する情報量が少なく、ネットワークを介して情報を送受信する場合でもネットワークの通信負荷を減らすことができる。
【図面の簡単な説明】
【００８４】
【図１】本発明によるプラント監視装置を適用したシステムの全体構成を示す図である。
【図２】本発明によるプラント監視装置のブロック構成を示す図である。
【図３】操作卓の表示部、操作端末の表示部、及び大型ディスプレイの画面表示例を示す図である。
【図４】操作卓／操作端末と運転管理サーバの、ログオンからログオフまでの処理手順を示す図である。
【図５】運転管理サーバが操作者別画面表示履歴情報を保持した場合のプラント監視装置のブロック構成を示す図である。
【図６】操作端末がシンクライアント構成の場合の構成例を示す図である。
【符号の説明】
【００８５】
２…制御装置、３…制御用ネットワーク、４…通信ネットワーク、５…プロセス製造装置、６…専用配線、７…運転管理サーバ、８…操作者Ａ、９…操作者識別装置、１１…操作卓、１２…可搬型操作端末、１２ａ，１５ａ…可搬部、１２ｂ，１５ｂ…本体部、１３…現場設置型操作端末、１４…大型ディスプレイ、１６…ターミナルサーバ、７１…操作者別情報管理部、７２…操作者別画面表示情報部、７３…操作者別画面表示履歴情報部、１１１，１２１…データ処理部、１１２，１２２…表示部、１１３，１２３…通信部、１１４，１２４…ログオン処理部、１１５，１２５…操作部、１１６，１２６…画面初期値部、１１７，１２７…画面情報部、１１８…履歴選択部、１２８，１２９…シンクライアント制御部、７２１…操作者別画面表示情報、７３１…操作者別画面表示履歴情報。
【図１】
2010117742.tif 000003
【図２】
2010117742.tif 000004
【図３】
2010117742.tif 000005
【図４】
2010117742.tif 000006
【図５】
2010117742.tif 000007
【図６】
2010117742.tif 000008